(57)【要約】【目的】本発明は環境改善に関するものである。さらに詳しくは今日的課題である環境浄化の重要項目である異臭防止を図るものである。【構成】カテキン類を多量に含有することによって、脱臭消臭機能を発揮する緑茶及び緑茶粉末を主体に、陽イオンチッソ等の吸着機能が大きく、アンモニアやチッソなどを吸着する特性の天然鉱物のゼオライト粉末粒を加え、さらに繊維組織に優れ、脱臭消臭機能が高い竹炭短片を加え、以上三種の材料の調合により相乗効果を高めた複合脱臭消臭材と、各構成材料の遍在を少なくした脱臭消臭材の製造法。各々の比重や形状の異なる材料の遍在を小さくして、三種の材料を調合し混合させる方法として、天然鉱物のゼオライト粉粒及び竹炭を緑茶の成分が溶けている溶液中に浸し、充分に緑茶の成分が浸透した後、パンミキサーで回転させながら緑茶及び緑茶粉末を混合させる。それによって、緑茶の成分がゼオライト並びに竹炭中に浸透するとともに、三種の成分が混然一体となり、脱臭消臭の相乗効果を発揮させることが出来る。【特許請求の範囲】
【請求項１】
０・１０５ｍｍ〜１０ｍｍの緑茶及び緑茶粉末３０〜７０重量％に、粒径０．５〜４ｍｍの天然鉱物ゼオライト１０〜４０重量％を加え、さらに１０ｍｍ以下の竹炭短片５〜２０重量％を加えて調合混合し、脱臭消臭の複合効果を高めた脱臭消臭材。
【請求項２】
請求項１で得られた複合脱臭消臭材を不織布の袋に封入した脱臭消臭材。
【請求項３】
請求項１の脱臭消臭材の製造に関し、調合及び混合工程において、三種類の構成材料の遍在を少なくすることを特長とした脱臭消臭材の製造方法。
【発明の詳細な説明】
【発明の属する技術分野】
ＩＣＰによるセクションＡ　生活必需品，サブセクション　個人用品または家庭用品、クラス４７　家庭用品または家庭用設備。
【産業上の利用分野】
【０００１】
本発明は環境改善に関するものである。さらに詳しくは今日的課題の環境浄化の重要項目である異臭防止に、含有主成分のカテキン類によって脱臭消臭効果の機能を持つ緑茶及び緑茶粉末を主材料にして、イオン交換機能によりアンモニアやチッソの吸着特性が大きい鉱物ゼオライトの粉粒を加え、さらに脱臭消臭効果が大きい竹炭短片を加えて調合混合し、三種材料により脱臭消臭能力の相乗効果を高め、脱臭消臭機能の大幅な向上を図ったものである。
【０００２】
三種の材料を調合して脱臭消臭の複合能力を大きく向上させた本発明により家庭、事業所などで異臭を発する排出ごみ、冷蔵庫、食器棚、押入れ、下駄箱、トイレなど、また自動車内などの異臭を防止することが出来る。
【従来の技術】
【０００３】
脱臭消臭剤として現在広く使用されているのは、椰子殻を炭化させて製造した活性炭である。その製造技術は確立されており使用分野も多岐に亘っているが、反面あまりにも広く安定商品として普及しているため、椰子殻活性炭以外の脱臭消臭材の開発はあまり進んでいないのが現状である。椰子殻活性炭以外の消臭材として一時注目されたのは天然鉱物のゼオライトである。天然鉱物のゼオライトは陽イオン交換機能が高いため、悪臭源のアンモニアやチッソを吸着する能力が高く脱臭消臭効果は大きいが、椰子殻活性炭と比べると比重が大きいのが欠点であった。また天然鉱物ゼオライトは生産量が少なく、そのため商品としての用途が固定化し、従来の用途以外、新規商品の開発が進んでいないのが現状である。
【０００４】
近来、生活関連で注目を集めている木炭や竹炭は、水を浄化する効果、あるいは遠赤外線発生効果、さらには炊飯を美味にする効果などを主目的として商品化が進められており、脱臭や消臭に関する商品も開発されつつあるが、木炭や竹炭は単価の関係もあり、単独での製品が伸び悩んでいる。
【発明が解決しようとする課題】
【０００５】
前項で記したように天然鉱物のゼオライト及び木炭や竹炭は、各自の持つ特性は優れているものの、単独での脱臭消臭の開発製品が少ないのが現状である。そこで本発明者は天然鉱物のゼオライト及び竹炭の優れた特性を生かすため、この二者を脱臭消臭の補助材として活用し、主成分として緑茶を使用することを考案した。発明者は緑茶の製造を業としてきたが、製造工程で必然的に生じる緑茶粉末の有効的な活用を模索している中に、現在の環境改善の重要項目の一つである脱臭消臭材として、緑茶及び緑茶粉末の利用を思い描くに至った。
【０００６】
緑茶の主成分はタンニンに属するカテキン類であるが、その中でエピガロカテキンガレートがほぼ半分を占め、エピガロカテキン及びエピカテキンガレートがそれに次ぐ。カテキン類の含有量は緑茶が最高で、紅茶やウーロン茶など発酵茶の含有量は緑茶より小さい。《文献：中川氏他：茶研報，Ｎｏ．３７（１９７２）》カテキン類を多量に含有する緑茶は医薬学的に多くの有用な効能を有しているが物性化学的には脱臭消臭作用があることが古くから経験的に知られている。具体的には掃除の際にお茶がらをまくとか、それに粉茶を少し加えると畳の間のごみが良く取れ、臭いも消えるとか云われてきた。また、葬儀の際に亡骸からの異臭を防ぐため棺の中に緑茶を入れることが往々にして行われている。しかしながら緑茶の脱臭消臭材としての商品化は現在、ほとんどなされていない。
【０００７】
本発明者は島根県の出雲地方で製茶を業としてきたが、たまたま同県内に天然鉱物のゼオライトの採掘をしている業者が存在して入手が容易であったことと、同様に同県内での竹炭の入手が比較的容易であったので、緑茶を主材料として三種の材料を調合することにより、脱臭消臭作用の複合的効果が期待される脱臭消臭材の開発研究を思料するに至った。竹炭は木炭と比較して繊維が多く、それによって表面積が木炭の５倍ほどあるのが利点である。
【０００８】
緑茶及び緑茶粉末、天然鉱物ゼオライトの粉粒、竹炭短片はそれぞれ形状が異なっている上、比重に大きな差があるため、三種の材料の調合と混合に際して、三成分の遍在を少なくする必要がある。発明者はそのための製造法を考案した。その方法の基本は緑茶粉末を飲料の様に水或いは湯に溶かし、緑茶の溶液の中に吸水力が大きい天然鉱物ゼオライトの粉粒を浸し、竹炭の短片も同様に浸す。
天然鉱物ゼオライト粉粒と竹炭にあらかじめ緑茶の成分を吸着させ、次に緑茶及び緑茶粉末をまぶすようにして混合する方法である。その後、乾燥して水分を除去し、製品に湿分の吸着力を与える。なお製品中の微粉が袋からもれないように不織布の袋を使用することも発明の一端である。
【課題を解決するための手段】
【０００９】
本発明の主体である緑茶の生産は晩春から初夏にかけて摘み取られた茶の葉をまず蒸し機にかけ、次に揉みながら熱風で乾燥する工程を繰り返した後、ふるい分けし、さらに乾燥後、選別し製品として出荷する。緑茶は大別して玉露、煎茶抹茶、ほうじ茶、玄米茶などがあるが、茶の葉の生育条件や揉み方、乾燥の仕方などで各種製品が生産される。茶の生育条件としては産地の気候条件に加えて人工的に日光の照射量を加減したり、遅霜の防止に風車を回したりする。茶の葉の揉み方、乾燥の度合い、更に温度を上げて煎るなどの加工条件によって各種銘柄が作られる。緑茶の生産過程における揉む工程、乾燥工程、選別工程などにおいて、茶の葉が欠け、粉が発生する。緑茶の粉は品質としては何等遜色がないものの、茶の葉と同様に扱うことは出来ない。粉茶の用途はそれなりにあり、製品として出荷しているが、粉茶を更に有効に活用出来ないかとの命題が本発明の発端である。
【００１０】
本発明において、緑茶とともに脱臭消臭の役割を大きく担う天然鉱物のゼオライトは本来の性状である陽イオン交換能力（ＣＥＣ）に優れ、チッソ、アンモニアなどの吸着作用が大きく、その性質を利用して天然鉱物のゼオライトを粉砕加工し、ペットや養豚、牛舎の糞尿の処理材、養魚場の水の清浄化、土壌改良材などの製品にしている。天然鉱物のゼオライトはほとんどが単独で製品として利用されているが、脱臭防臭用としてはほとんど商品化されていないのが現状である。本発明者はこの点に着目し、天然鉱物のゼオライトの活用に脱臭消臭効果のある他の材料と組み合わせて複合効果を上げることを考え、緑茶及び竹炭との組み合わせを考案した。それによって天然鉱物のゼオライトの役割が増大することを予期した。本発明では緑茶及び緑茶の粉末を主体にして、それに天然鉱物のゼオライトを加え、さらに木炭より繊維組織が優れて脱臭消臭効果が大きい竹炭短片を加え、三種の材料が補完しあって、脱臭消臭効果の総合効果の発揮を期待した。
【発明の実施の形態】
本発明の実施の形態の一例を詳細に説明する。
【００１１】
先ず採取した生茶の葉を蒸し機にかけて蒸した後、主として茶葉の表面に付着した水分を冷却機で除去しながら冷却する。次に揉み機で揉み、乾燥する工程をくり返した後、ふるい分けをする。さらに乾燥とふるい分けをした後、各級の緑茶として出荷するが、それまでの工程で粉茶が約５％発生する。この緑茶粉末と緑茶が本発明の主材料である。本発明に使用する緑茶及び緑茶粉末は０．１０５ｍｍ〜１０ｍｍにふるい分けする。天然鉱物のゼオライトは粒径０．５ｍｍ〜４ｍｍの粉粒に調整する　竹炭は祖砕して１０ｍｍ以下に整粒する。以上三種の材料を用意する。
【００１２】
別に緑茶粉末を水或いは湯に溶かす。緑茶の成分が溶け込んでいる溶液を準備する。天然鉱物のゼオライトの粉粒を茶の溶液中に浸す。同じく竹炭の短片を別の容器の中で緑茶の溶液の中に浸す。緑茶の溶液に浸した鉱物ゼオライトの粉粒６ｋｇをパンミキサーに入れ、回転させながらの緑茶及び緑茶粉末１２ｋｇをゆっくりと投入し、約１０分間回転混合させる。パンミキサーを使用する理由はゼオライトの粉粒の破砕を防ぐことと、ゼオライト粉粒の表面に緑茶及び緑茶粉末を付着し易くするためである。パンミキサーは造粒機能を合わせ持つ混合機である。パンミキサーでゼオライトと緑茶及び緑茶粉末が充分に混合付着した後、竹炭の短片２ｋｇを投入し約５分間三者を混合する。以上の工程で三種材料の調合と混合は終了するが、本製造方法によって三種の材料の遍在が少なくなるとともに、緑茶の成分が他の二種の材料中に浸透しているため、三種の材料の脱臭消臭能力が向上する。その後、混合された三種原の材料を乾燥機で乾燥する。常温にした後三種材料の混合品を秤量し、不織布に封入し脱臭消臭製品として出荷する。
以上の脱臭消臭製品の一例として一袋の容量３００ｃｃ、重量１２０ｇ、別の例では容量１００ｇ、重量４０ｇである。
【発明の効果】
本発明の効果の一例を説明する。
【００１３】
本発明製品のアンモニア吸着試験では常温２０℃において、１時間後にアンモニア濃度（ｐｐｍ）は５分の１に下がり、２時間後では１０分の１になった。
本発明では緑茶及び緑茶の粉末を主体にし、それに鉱物ゼオライトを加え、さらに竹炭を加えて脱臭消臭の相乗的効果を高め製品としたが、上記の試験結果からその有効性が立証された。
現在、各自冶体の家庭の焼却用ごみの回収はほぼ１週間に２回程度であり、日々排出されるごみは所定の袋に入れ、回収日まで各家庭で管理するのが普通であるが、その間ごみから悪臭が発生することが多く悩みの種であった。本発明品をごみ袋に入れることによって、アンモニアなどが吸着され、悪臭の発生が防げることが確かめられた。なお、本発明品を回収前にごみ袋から出すとチッソを吸着しているため、家庭菜園の有効な肥料として活用出来る。なお、他の用途については逐次その効用を確かめている。